(57)【要約】【課題】  本考案は、透明なガラス材からなる器具の表面に、透明な凸条で表現された模様を形成し、その模様以外の器具表面はサンドブラスト加工による粗面として、上記模様が華麗な立体感を表現できるようにした模様付きガラス器具を提供することを課題とする。【解決手段】  透明なガラス材からなる器具１の表面に、サンドブラスト加工により形成される凸条２ａで模様２が施される。凸条２ａの表面は透明とされるが、同凸条２ａの側面２ｂや、同側面に隣接した器具表面２ｃは粗面とされ、凸条側面２ｂと器具表面２ｃとの境界には凹弯曲した粗面が形成されて、その凹弯曲粗面の裏面に器具内側から当たる光により、輪郭としての凸条２ａの内部の模様にも立体感が生じる。【選択図】          図１
0003103991.tif 000002
【実用新案登録請求の範囲】
【請求項１】
透明なガラス材からなる器具の表面に凹凸による模様が施されて、同模様が透明な表面を有する凸条で形成されており、同凸条の側面および同凸条に隣接した器具表面がサンドブラスト加工による粗面として形成されて、同粗面が上記凸条の側面と上記器具表面との境界部分で凹弯曲面状に形成されていることを特徴とする、模様付きガラス器具。
【請求項２】
上記模様が、上記凸条により輪郭を施された複数の造形模様として表現されていることを特徴とする、請求項１に記載の模様付きガラス器具。
【請求項３】
上記模様が、上記凸条により輪郭を施された複数の花弁を放射状に有する花模様として表現されて、上記花弁の先端部を形成する上記凸条が、同花弁の基端部を形成する上記凸条よりも幅広に形成されていることを特徴とする、請求項１に記載の模様付きガラス器具。
【考案の詳細な説明】
【技術分野】
【０００１】
本考案は、表面に模様を備えたガラス器具に関する。
【背景技術】
【０００２】
従来、図５に示すような模様付きガラス器具が製造されているが、従来のものでは、透明なガラス器具11において、模様12以外のガラス器具表面にマスキングを施してから、サンドブラスト加工を施すことが行われており、これにより模様12が粗面として形成されるようになっている。
ところで、上述のような従来の模様付ガラス器具では、模様12が透明で光沢のあるガラス器具11の表面に単に粗面として表現されるため、立体感が得られないという不具合がある。
そこで、ガラス表面を羽根模様などに削り取ってから、これに銀引き加工を施すことにより立体感を得られるようにしたものも開発されているが、このような銀引き加工を行う際には、予めニカワなどを塗る工程を必要とし、作業の複雑化を招くことになる。
【特許文献１】実開平６−８３７４３号公報
【考案の開示】
【考案が解決しようとする課題】
【０００３】
本考案は、透明なガラス材からなる器具の表面に、透明な凸条で表現された模様を形成し、その模様以外の器具表面はサンドブラスト加工による粗面として、上記模様が華麗な立体感を表現できるようにした模様付きガラス器具を提供することを課題とする。
【課題を解決するための手段】
【０００４】
本考案の模様付きガラス器具は、透明なガラス材からなる器具の表面に凹凸による模様が施されて、同模様が透明な表面を有する凸条で形成されており、同凸条の側面および同凸条に隣接した器具表面がサンドブラスト加工による粗面として形成されて、同粗面が上記凸条の側面と上記器具表面との境界部分で凹弯曲面状に形成されていることを特徴としている。
【０００５】
また、本考案の模様付きガラス器具は、上記模様が、上記凸条により輪郭を施された複数の造形模様として表現されていることを特徴としている。
【０００６】
さらに、本考案の模様付きガラス器具は、上記模様が、上記凸条により輪郭を施された複数の花弁を放射状に有する花模様として表現されて、上記花弁の先端部を形成する上記凸条が、同花弁の基端部を形成する上記凸条よりも幅広に形成されていることを特徴としている。
【考案の効果】
【０００７】
透明なガラス材からなる器具の表面に、透明な表面を有する凸条で模様が形成されて、同凸条の側面および同凸条に隣接した器具表面はサンドブラスト加工による粗面として形成されるので、上記の透明な凸条の表面から入射した光が、上記凸条の側面と同側面に連続した器具表面との境界部分における丸味を帯びた凹弯曲面としてのサンドブラスト加工面（粗面）の裏側に照射して、上記模様に華麗な立体感を与えるようになる。
【０００８】
また、上記模様が、上記凸条により輪郭を施された複数の円形や菱形などの幾何学模様または美術的なものを含む様々な造形模様として表現されていると、上記輪郭の内側に形成される内部模様にも華麗な立体感が生じるようになる。このようにして、上記輪郭の内側に形成される内部模様により、上記輪郭自体で形成される立体模様と相まって、優れた造形美が得られるようになる。
【０００９】
さらに、上記模様が、上記凸条により輪郭を施された複数の花弁を放射状に有する花模様として表現されて、上記花弁の先端部を形成する上記凸条が、同花弁の基端部を形成する上記凸条よりも幅広に形成される場合は、その幅広の凸条の表面から十分に入射した光により、上記輪郭の内側の粗面で形成された花弁が立体的に浮き上がるように見えるので、優美な花模様を楽しむことができる。
【考案を実施するための最良の形態】
【００１０】
着色されたコップなどのガラス器具において、複数の花弁を有する花模様や小円形あるいは楕円形の集合体のごとき幾何学模様などが器具表面に配設され、各模様が透明な凸条の輪郭で表現されて、同凸条に隣接する器具表面がサンドブラスト加工による粗面として形成される。
そして、上記花模様では花弁先端部の輪郭を形成する透明な上記凸条が、同花弁の基端部を形成する透明な上記凸条よりも幅広に形成され、上記花弁の先端部における透明な輪郭への入射光が、十分に取り込まれるように配慮される。
【実施例１】
【００１１】
図１は本考案の実施例１としての模様付きガラス器具を示す全体斜視図、図２は図１のＡ−Ａ線に沿う要部拡大断面図である。
図１，２に示すように、透明なガラス材からなる器具１の表面に凹凸による模様２が施されており、同模様２は透明な表面を有する凸条２ａで形成されている。そして、凸条２ａの側面２ｂおよび同凸条２ａに隣接した器具表面２ｃは、サンドブラスト加工による粗面として形成されていて、凸条側面２ｂとこれに隣接した器具表面２ｃとの境界部分２ｆは、図２に示すごとく丸味を帯びた凹弯曲面状粗面として形成されている。
【００１２】
また、本実施例では、図１に示すように、模様２が複数の花弁を放射状に有する花模様として表現されて、上記花弁の先端部を形成する凸条２ｄが、同花弁の基端部を形成する凸条２ｅよりも幅広に形成されている。
【００１３】
上述の本実施例の模様付きガラス器具では、透明なガラス材からなる器具１の表面に、透明な表面を有する凸条２ａで模様２が形成されて、同凸条２ａの側面２ｂおよび同凸条２ａに隣接した器具表面２ｃはサンドブラスト加工による粗面として形成されるので、透明な凸条２ａの表面から入射した光Ｌが、凸条２ａの側面２ｂと同側面２ｂに連続した器具表面２ｃとの境界部分２ｆにおける丸味を帯びた凹弯曲面としてのサンドブラスト加工弯曲面（粗面）の裏側に照射して、模様２に華麗な立体感を与えるようになる。
【００１４】
また、特に、模様２が、凸条２ａにより輪郭を施された複数の花弁を放射状に有する花模様として図示のごとく表現されて、同花弁の先端部を形成する凸条２ｄが、同花弁の基端部を形成する凸条２ｅよりも幅広に形成されると、その幅広の凸条２ｄの表面から十分に入射した光により、上記輪郭の内側の粗面で形成された花弁が立体的に浮き上がるように見えるので、優美な花模様を楽しむことができる。
【実施例２】
【００１５】
図３は本考案の実施例２としての模様付きガラス器具を示す全体斜視図であって、本実施例では、透明なガラス材からなるコップのごとき器具１の表面に凸条３ａにより輪郭を施された複数の楕円形や菱形としての造形模様３が施されており、凸条３ａの表面は透明に形成されている。
【００１６】
そして、凸条３ａの側面３ｂおよび同凸条３ａに隣接する器具表面３ｃは、サンドブラスト加工による粗面として形成され、図４に示すごとく、凸条側面３ｂと器具表面３ｃとの境界部分３ｆは丸味を帯びた凹弯曲面状粗面として形成されている。
【００１７】
上述のように、器具１の表面における造形模様３が、凸条３ａにより輪郭を施された複数の円形や菱形などの幾何学模様として表現されていると、丸味を帯びた上記凹弯曲面状粗面としての境界部分３ｆの裏側に光を受けることにより、上記輪郭の内側に形成される内部模様３Ａにも華麗な立体感が生じるようになる。このようにして、上記輪郭の内側に形成される内部模様３Ａにより、上記輪郭自体で形成される立体模様と相まって、優れた造形美が得られるようになる。
【産業上の利用可能性】
【００１８】
本考案の模様付きガラス器具は、コップやスタンド付きグラス，水差し（ピッチャー）などのガラス食器のほか、花瓶などのガラス器具に幅広く用いることができる。
また、ガラス器具の表面に施される凹凸模様としては、キャラクター模様など子供向けのものにも対応させることが可能である。
【図面の簡単な説明】
【００１９】
【図１】本考案の実施例１としての模様付きガラス器具を示す斜視図である。
【図２】図１のＡ−Ａ線に沿う要部拡大断面図である。
【図３】本考案の実施例２としての模様付きガラス器具を示す斜視図である。
【図４】図１のＢ−Ｂ線に沿う要部拡大断面図である。
【図５】従来の模様付きガラス器具の一例を示す斜視図である。
【符号の説明】
【００２０】
１  器具
２  模様
２ａ  凸条
２ｂ  凸条の側面
２ｃ  器具表面
２ｄ  先端部凸条
２ｅ  基端部凸条
２ｆ  凹弯曲面状境界部分
３  造形模様
３ａ  凸条
３ｂ  凸条の側面
３ｃ  器具表面
３ｆ  凹弯曲面状境界部分
11  ガラス器具
12  模様
Ｌ  光
【図１】
0003103991.tif 000003
【図２】
0003103991.tif 000004
【図３】
0003103991.tif 000005
【図４】
0003103991.tif 000006
【図５】
0003103991.tif 000007